(57)【特許請求の範囲】
【請求項１】
複数項目のデータを格納する情報データベースと、
前記データに対する投稿記事を、対応する該データに関連付けて格納する投稿記事データベースと、
通信ネットワークを介して通信端末に接続されるフロントサーバと、
を備え、
前記フロントサーバは、
前記情報データベースに格納された前記複数項目のデータを用いて、階層化された複数の情報ページを生成する情報ページ生成部と、
前記通信端末によって表示された前記情報ページに関連付けられた前記投稿記事と、該表示された情報ページの下位の各情報ページに関連付けられた前記投稿記事とを、前記投稿記事データベースから抽出して、該表示された情報ページに対応する前記投稿ページを生成する投稿ページ生成部と、
前記情報ページ及び前記投稿ページを通信端末に送信して表示させる通信処理部と、
を備えることを特徴とする情報閲覧システム。
【請求項２】
前記通信端末からの要求に応じて、前記情報データベースに格納された前記データを検索する検索処理部を更に備え、
前記情報ページ生成部は、前記検索処理部の検索結果に基づいて、階層化された検索結果ページを生成し、
前記投稿ページ生成部は、前記通信端末によって表示された前記検索結果ページに関連付けられた前記投稿記事と、該表示された検索結果ページの下位の各検索結果ページに関連付けられた前記投稿記事とを、前記投稿記事データベースから抽出して、該表示された検索結果ページに対応する前記投稿ページを生成し、
前記通信処理部は、前記情報ページ及び前記投稿ページを通信端末に送信して表示させる、
ことを特徴とする請求項１に記載の情報閲覧システム。
【請求項３】
前記通信端末は、何れかの前記情報ページが表示された状態で、前記投稿ページへの表示変更操作が行われたときに、前記フロントサーバに、当該情報ページに対応する前記投稿ページを要求することを特徴とする請求項１又は２に記載の情報閲覧システム。
【請求項４】
前記通信端末は、何れかの前記投稿記事が選択された状態で、前記情報ページへの表示変更操作が行われたときに、当該投稿記事に対応する前記情報ページを表示することを特徴とする請求項１乃至３の何れかに記載の情報閲覧システム。
【発明の詳細な説明】
【技術分野】
【０００１】
この発明は、通信ネットワークを利用して投稿記事を第三者に閲覧させる機能を有する情報閲覧システムに関する。
【背景技術】
【０００２】
従来、通信ネットワークを利用して投稿記事を第三者に閲覧させるシステムとして、例えば下記特許文献１に記載された電子掲示板が知られている。
【０００３】
特許文献１の電子掲示板は、投稿記事を複数の分類項目に分けることとし、これら分類項目を一覧表示したドロップダウンリストから、所望の分類項目を選択できるようになっている（特許文献１の［００４５］、図１０等参照）。
【０００４】
このような電子掲示板では、閲覧者は、自分が閲覧したい投稿の種類を複数の分類項目から選択することで、閲覧者が見たい投稿記事のみを表示させることができる。そして、閲覧者は、各投稿記事のタイトルを利用して、閲覧したい投稿記事を選択する。
【先行技術文献】
【特許文献】
【０００５】
【特許文献１】特開２００２−１８３０３９号公報
【発明の概要】
【発明が解決しようとする課題】
【０００６】
しかしながら、上述のような従来の電子掲示板では、投稿記事の分類項目が非常に多いような場合には、閲覧者が望む分類項目を探し出すことは、簡単では無い。
【０００７】
例えば、株式投資家向け情報サイトの、各業種や各企業に関する投稿記事を投稿・閲覧する電子掲示板を例に採ると、上述のようなドロップダウンリストや投稿記事タイトルで、全ての業種や企業を一覧表示することとしたのでは、分類項目やタイトルの数が膨大となって、閲覧者が望む投稿記事を探し出すことは容易ではない。
【０００８】
また、このような株式投資家向け情報サイト等において、特定の業種や企業に関する株式投資家向け経済情報について、その経済情報に関連する投稿記事を参照しながら検討を行いたいような場合がある。このような場合に、その都度電子掲示板のページに移動して、関連する投稿記事を探していたのでは、非常に非効率的である。
【０００９】
この発明の課題は、投稿記事の分類項目が非常に多い場合や、特定の情報に対応する投稿記事を閲覧したい場合に、閲覧者が望む投稿記事を簡単な操作で効率的に表示できる情報閲覧システムを提供する点にある。
【課題を解決するための手段】
【００１０】
請求項１の発明に係る情報閲覧システムは、複数項目のデータを格納する情報データベースと、前記データに対する投稿記事を、対応する該データに関連付けて格納する投稿記事データベースと、通信ネットワークを介して通信端末に接続されるフロントサーバと、を備え、前記フロントサーバは、前記情報データベースに格納された前記複数項目のデータを用いて、階層化された情報ページを生成する情報ページ生成部と、前記通信端末によって表示された前記情報ページに関連付けられた前記投稿記事と、該表示された情報ページの下位の各情報ページに関連付けられた前記投稿記事とを、前記投稿記事データベースから抽出して、該表示された情報ページに対応する前記投稿ページを生成する投稿ページ生成部と、前記情報ページ及び前記投稿ページを通信端末に送信して表示させる通信処理部と、を備えることを特徴とする。
【００１１】
請求項２の発明に係る情報閲覧システムは、請求項１の構成に加え、前記通信端末からの要求に応じて、前記情報データベースに格納された前記データを検索する検索処理部を更に備え、前記情報ページ生成部は、前記検索処理部の検索結果に基づいて、階層化された検索結果ページを生成し、前記投稿ページ生成部は、前記通信端末によって表示された前記検索結果ページに関連付けられた前記投稿記事と、該表示された検索結果ページの下位の各検索結果ページに関連付けられた前記投稿記事とを、前記投稿記事データベースから抽出して、該表示された検索結果ページに対応する前記投稿ページを生成し、前記通信処理部は、前記情報ページ及び前記投稿ページを通信端末に送信して表示させることを特徴とする。
【００１２】
請求項３の発明に係る情報閲覧システムは、請求項１又は２の構成に加え、前記通信端末は、何れかの前記情報ページが表示された状態で、前記投稿ページへの表示変更操作が行われたときに、前記フロントサーバに、当該情報ページに対応する前記投稿ページを要求することを特徴とする。
【００１３】
請求項４の発明に係る情報閲覧システムは、請求項１乃至３の何れかの構成に加え、前記通信端末は、何れかの前記投稿記事が選択された状態で、前記情報ページへの表示変更操作が行われたときに、当該投稿記事に対応する前記情報ページを表示することことを特徴とする。
【発明の効果】
【００１４】
請求項１の発明によれば、階層化された情報ページを生成すると共に、その情報ページに対応する投稿記事と、その情報ページの下位の各情報ページに対応する投稿記事とを含む投稿ページを生成することとしたので、閲覧者は、選択された情報ページに対応する投稿記事を、簡単な操作で効率的に閲覧することができる。
【００１５】
請求項２の発明によれば、閲覧者が検索を行った際に、その閲覧者が、簡単な操作で効率的に、検索結果を示す情報ページを閲覧しつつ、この検索結果に対応する投稿記事を閲覧することができる。
【００１６】
請求項３の発明によれば、情報ページから、この情報ページに対応する投稿ページへ直接移動することができるので、閲覧者は、その情報ページに対応する投稿記事を、簡単な操作で効率的に閲覧することができる。
【００１７】
請求項４の発明によれは、投稿ページから、この投稿ページに対応する情報ページへ直接移動することができるので、閲覧者は、その投稿記事に対応する情報ページを、簡単な操作で効率的に閲覧することができる。
【図面の簡単な説明】
【００１８】
【図１】実施の形態１に係るネットワーク構成を示す概念図である。
【図２】（ａ）、（ｂ）共に、実施の形態１に係る通信端末の画面表示を示す概念図である。
【図３】（ａ）、（ｂ）共に、実施の形態１に係る通信端末の画面表示を示す概念図である。
【図４】（ａ）、（ｂ）共に、実施の形態１に係る通信端末の画面表示を示す概念図である。
【図５】（ａ）、（ｂ）共に、実施の形態１に係る通信端末の画面表示を示す概念図である。
【発明を実施するための形態】
【００１９】
以下、この発明の実施の形態１について、図面を参照して説明する。この実施の形態１２では、この発明を、株式投資家等に対して業種別や企業別の経済情報や投稿記事を提供する情報閲覧システムに適用する場合を例に採って、説明する。
【００２０】
図１は、この実施の形態１のネットワーク構成を示す概念図である。
【００２１】
図１に示したように、この実施の形態１の通信ネットワークでは、情報閲覧システム１１０とスマートフォン１２０とが、インターネット１３０を介して通信接続されている。
【００２２】
情報閲覧システム１１０は、経済情報データベース１１１、投稿記事データベース１１２、ユーザ管理データベース１１３、フロントサーバ１１４及び検索サーバ１１５を備えている。
【００２３】
経済情報データベース１１１は、登録ユーザに閲覧させるための、閲覧用データ（企業属性情報や決済データ等）等を保存する。閲覧用データは、例えば、企業のウェブサイトで公表されている情報や法定開示されている情報等を収集することによって取得されて、この経済情報データベース１１１に格納される。
【００２４】
投稿記事データベース１１２は、情報ページ（後述）について登録ユーザが投稿した記事（以下、「投稿記事」と記す）を、その情報ページに関連付けて保存する。
【００２５】
ユーザ管理データベース１１３は、登録ユーザの属性情報（登録ユーザの個人情報、認証情報等）を保存する。
【００２６】
フロントサーバ１１４は、ユーザの登録処理や、このユーザのスマートフォン１２０に閲覧用データや投稿記事を表示させるための処理等を行う。このフロントサーバ１１４は、情報ページ生成部１１４ａと、投稿ページ生成部１１４ｂと、通信処理部１１４ｃとを備えている。これらの各部１１１ａ〜１１１ｃは、例えばソフトウエア的に構築することができる。
【００２７】
情報ページ生成部１１４ａは、経済情報データベース１１１に格納された各種閲覧用データを用いて、階層化された情報ページを生成する。情報ページの作成は、定期的に行っても良いし、経済情報データベース１１１の何れかの閲覧用データが更新される度に行っても良いし、スマートフォン１２０から要求される度に行っても良い。また、この情報ページ生成部１１４ａは、検索サーバ１１５が検索を行った場合には、その検索結果に基づいて、階層化された検索結果ページを生成する。
【００２８】
投稿ページ生成部１１４ｂは、スマートフォン１２０の操作によって、何れかの階層の情報ページが表示された場合に、この表示された情報ページと、その表示された階層の下位の各情報ページとに対応する投稿記事を投稿記事データベース１１２から読み出して、投稿ページを生成する。また、この投稿ページ生成部１１４ｂは、検索サーバ１１５によって閲覧用データが検索された場合にも、スマートフォン１２０が表示した検索結果ページと、その表示された階層の下位の各検索結果ページとに対応する投稿記事を用いて、投稿ページを生成する。投稿ページの作成は、例えば、この投稿ページの送信をスマートフォン１２０から要求される度に行う。
【００２９】
通信処理部１１４ｃは、スマートフォン１２０からの要求等を受信すると共に、情報ページ生成部１１４ａが生成した情報ページ及び検索結果ページや、投稿ページ生成部１１４ｂが生成した投稿ページを、スマートフォン１２０に送信して表示させる。
【００３０】
検索サーバ１１５は、この発明の「検索処理部」に相当し、スマートフォン１２０からの要求に応じて、経済情報データベース１１１に格納された閲覧用データを検索する。
【００３１】
スマートフォン１２０は、この発明の「通信端末」に相当する。このスマートフォン１２０には、アプリケーションソフトウエア（以下、「アプリ」と記す）２００がインストールされている。このアプリ２００は、情報閲覧システム１１０のフロントサーバ１１４から、情報ページ、検索結果ページ及び投稿ページを取得して表示する。なお、この発明の通信端末としては、例えばタブレット端末、携帯電話機、パーソナルコンピュータ等を使用してもよい。
【００３２】
インターネット１３０は、この発明の「通信ネットワーク」に相当し、情報閲覧システム１１０とスマートフォン１２０とを通信接続する。
【００３３】
以下、この実施の形態１に係る情報閲覧システム１１０の動作について、図２〜図５を用いて説明する。図２〜図５は、それぞれ、スマートフォン１２０の画面表示を示す概念図である。
【００３４】
スマートフォン１２０の画面には、中央パネルと右パネルとが選択的に表示される。中央パネルには、後述の情報ページ２１０，２２０，２３０や検索結果ページ６１０，６２０が表示される。一方、右パネルには、後述の投稿ページが表示される。中央パネルと右パネルとの表示切替は、左方向へスワイプアウトすること（すなわち、指を、表示画面に当てたまま左方向へ移動させること）によって、行われる。なお、タブレット端末やパーソナルコンピュータ等、画面サイズが大きい通信端末の場合は、中央パネルと右パネルとを同時に表示しても良い。
【００３５】
（１）情報ページの表示動作
まず、この実施の形態１における情報ページ表示動作を説明する。
【００３６】
最初に、スマートフォン１２０でアプリ２００が起動されると、このアプリ２００が、フロントサーバ１１４に対して、ログイン処理等を実行させると共に、情報ページの送信を要求する。
【００３７】
このアプリ２００は、［業種コード，企業コード，検索ワード，ＵＲＬ］の４個の変数を、表示状態を示す変数として記憶する。後述するように、このアプリ２００は、センターパネルが表示するページ（すなわち、情報ページ２１０〜２３０、検索結果ページ６１０，６２０）に応じて、これらの変数を書き換える。
【００３８】
フロントサーバ１１４は、アプリ２００からの要求に応じて、情報ページ（すなわち、情報ページをスマートフォン１２０に表示させるためのウェブ表示プログラム）を送信する。このとき、階層化された情報ページの全てを送信しても良いし、この時点では最上位の情報ページ２１０（図２（ａ）参照）のみを送信して、このアプリ２００から要求されたときに下層の情報ページを送信することとしても良い。
【００３９】
図２（ａ）に示したように、最上位の情報ページ２１０には、業種別の売上高を示すツリーマップ２１１、カラースケール２１２、キーワード入力領域２１３、検索ボタン２１４等が表示される。この最上位情報ページ２１０が表示された時、アプリ２００は、表示状態の変数を、［業種コード＝空，企業コード＝空，検索ワード＝空，ＵＲＬ＝空］に設定する。
【００４０】
ツリーマップ２１１において、各業種に対応する矩形領域２１１ａの面積は、売上高に応じて定められている。また、矩形領域２１１ａの色彩は、売上高の成長率に応じて、徐々に変化するように設定されている。
【００４１】
なお、スマートフォン１２０を操作することによって、情報ページ２１０に同時に表示する業種数（矩形領域の数）の変更や、表示の拡大、縮小等を行うことができる。
【００４２】
一方、カラースケール２１２には、矩形領域２１１ａの表示に使用される色彩が、低成長率を示すものから順に、配列表示されている。
【００４３】
ツリーマップ２１１において、所望の矩形領域２１１ａ（図２（ａ）では、「食料品」に対応する矩形領域）がタップされると、この矩形領域２１１ａが選択されて、強調表示された状態（例えば、枠線が太線で表された状態）になる。また、このとき、カラースケール２１２においては、選択された矩形領域２１２ａに対応する色彩領域が強調された状態になる。
【００４４】
その後、選択された矩形領域２１１ａが指で長押しされると、アプリ２００は、その矩形領域２１１ａの近傍に、ポップアップ画面２１１ｂを表示する（図２（ｂ）参照）。このポップアップ画面２１１ｂには、例えば、選択された矩形領域２１１ａに対応する業種や、その業種の総売上高が表示される。
【００４５】
また、選択された矩形領域２１１ａがタップされると、このアプリ２００は、２層目の情報ページ２２０を表示する（図３（ａ）参照）。この情報ページ２２０には、選択された業種についての企業別売上高を示すツリーマップ２２１、カラースケール２２２、キーワード入力領域２２３、検索ボタン２２４等が表示される。ツリーマップ２２１に含まれる各矩形領域の面積や色彩の決定方法は、上述のツリーマップ２１１の場合と同じである。更には、カラースケール２２２の色彩の配列等も、上述のカラースケール２１２の場合と同様である。
【００４６】
この情報ページ２２０が表示された時、アプリ２００は、表示状態の変数を、［業種コード＝選択された業種の業種コード，企業コード＝空，検索ワード＝空，ＵＲＬ＝空］に設定する。
【００４７】
なお、スマートフォン１２０を操作することによって、情報ページ２２０に同時に表示する業種数（矩形領域の数）の変更や、表示の拡大や縮小、情報ページ２１０への表示変更等を行うことができる。
【００４８】
このツリーマップ２２１において、所望の企業に対応する矩形領域２２１ａがタップされると、この矩形領域２２１ａが選択されて、強調表示された状態になる。
【００４９】
更に、選択された矩形領域２２１ａがタップされると、この矩形領域２２１ａに対応する、３層目の情報ページ２３０が表示される（図３（ｂ）参照）。この情報ページ２３０は、矩形領域２２１ａに対応する企業のキャッシュフローグラフ２３１等を含む。３層目の情報ページ２３０が表示された時、アプリ２００は、表示状態の変数を、［業種コード＝空，企業コード＝選択された企業の企業コード，検索ワード＝空，ＵＲＬ＝空］に設定する。
【００５０】
なお、このときにスマートフォン１２０を操作することによって、キャッシュフローグラフ２３０を拡大・縮小したり、表示位置をずらしたり、情報ページ２１０、２２０へ表示を戻したりすることができる。
【００５１】
（２）検索結果ページの表示動作
次に、この実施の形態１における検索結果ページ表示動作を説明する。
【００５２】
まず、上述の情報ページ２１０又は２２０において、キーワード入力領域２１３，２２３に検索キーワードが入力されて、検索ボタン２１４，２２４がタップされると、このアプリ２００からフロントサーバ１１４へ、検索の要求が送信される。以下の説明では、検索キーワードを、「再生医療」とする。
【００５３】
フロントサーバ１１４は、このアプリ２００から検索要求を受信すると、検索サーバ１１５に、検索を要求する。そして、検索サーバ１１５が、経済情報データベース１１１に格納された情報の全文検索を行い、検索結果をフロントサーバ１１４に送る。
【００５４】
フロントサーバ１１４は、検索サーバ１１５から検索結果を受け取ると、アプリ２００に対して、検索結果を示す検索結果ページ（すなわち、検索結果ページをスマートフォン１２０に表示させるためのウェブ表示プログラム）を作成して、送信する。このとき、階層化された検索結果ページの全てを送信しても良いし、この時点では最上位の検索結果ページ（図４（ａ）参照）のみを送信して、このアプリ２００から要求されたときに下層の検索結果ページを送信することとしても良い。
【００５５】
図４（ａ）に示したように、最上位の検索結果ページ６１０には、検索結果を示すツリーマップ６１１、カラースケール６１２、キーワード入力領域６１３、検索ボタン６１４とが表示される。
【００５６】
ツリーマップ６１１には、検索結果（すなわち、本文中にキーワード「再生医療」が含まれる経済情報）が、企業別に分類されて表示される。このツリーマップ６１１において、各業種に対応する矩形領域６１１ａの面積は、検索でヒットした経済情報数に応じて定められている。また、矩形領域６１１ａの色彩は、例えば、検索でヒットした経済情報のタイプ比率（ここでは、企業のウェブサイトに掲載された情報と法定開示情報との比率とする）に応じて、徐々に変化するように設定されている。
【００５７】
一方、カラースケール６１２には、矩形領域６１１ａの表示に使用される色彩が、少ない経済情報数を示すものから順に、配列表示されている。
【００５８】
この検索結果ページ６１０が表示された時、アプリ２００は、表示状態の変数を、［業種コード＝空，企業コード＝空，検索ワード＝再生医療，ＵＲＬ＝空］に設定する。
【００５９】
なお、スマートフォン１２０を操作することによって、検索結果ページ６１０に同時に表示する企業数（矩形領域の数）の変更や、表示の拡大、縮小等を行うことができる。
【００６０】
ツリーマップ６１１において、所望の矩形領域６１１ａがタップされると、この矩形領域６１１ａが選択されて、強調表示された状態になる。また、このとき、カラースケール６１２の、選択された矩形領域２１２ａに対応する色彩領域が、強調された状態になる。
【００６１】
ここで、選択された矩形領域６１１ａが指で長押しされると、その矩形領域６１１ａの近傍に、ポップアップ画面６１１ｂが表示される（図示せず）。このポップアップ画面６１１ｂには、選択された矩形領域６１１ａに対応する情報（例えば、企業名やヒット件数等）が表示される。
【００６２】
また、選択された矩形領域６１１ａがタップされると、２層目の検索結果ページ６２０を表示する（図４（ｂ）参照）。この検索結果ページ６２０には、その企業名６２１ａと、その企業に関する経済情報（本文中にキーワード「再生医療」が含まれるもの）の文献タイトル６２１ｂとが一覧表示される。また、それぞれの文献タイトル６２１ｂの下には、その文献の一部の内容が表示される。そして、スマートフォン１２０の操作者が、この内容表示部分を指で長押しすると、キーワード「再生医療」とその前後部分の文字とが、ポップアップ表示される（図示せず）。
【００６３】
この検索結果ページ６２０が表示された時、アプリ２００は、表示状態の変数を、［業種コード＝空，企業コード＝選択された企業の企業コード，検索ワード＝再生医療，ＵＲＬ＝空］に設定する。
【００６４】
この検索結果ページ６２０において、企業名６２１ａをタップすると、３層目の検索結果ページ６３１として、キャッシュフローグラフ等が表示される。この検索結果ページ６３１は、情報ページ２３０（図３（ｂ）参照）と同じ閲覧用データに基づいており、実質的に同じ表示内容である。一方、検索結果ページ６２０において、文献タイトル６２１ｂをタップすると、３層目の検索結果ページ６３２として、その文献が表示される。
【００６５】
企業名６２１ａの部分は、その企業の企業ウェブサイトへリンクされている。このため、操作者が、このリンクをタップすると、アプリ２００は、ブラウザ機能を用いてその企業ウェブサイトを表示するとともに、表示状態の変数を［業種コード＝空，企業コード＝選択された企業の企業コード，検索ワード＝再生医療，ＵＲＬ＝表示中ウェブサイトのＵＲＬ］に設定する。
【００６６】
（３）投稿ページの表示動作
次に、この実施の形態１における投稿ページ表示動作を説明する。
【００６７】
この実施の形態１においては、投稿記事データベース１１２に格納された各投稿記事に、センターパネルの表示状態を示す変数［業種コード，企業コード，検索ワード，ＵＲＬ］に対応するタグを少なくとも含む、複数のタグが付与されている。これにより、以下のようにして、センターパネルの表示状態に応じて、投稿ページに表示される投稿を変更できる。
【００６８】
上述のように、最上位の情報ページ２１０には、業種別の売上高を示すツリーマップ２１１が表示される（図２（ａ）参照）。また、このときの表示状態の変数値は、［業種コード＝空，企業コード＝空，検索ワード＝空，ＵＲＬ＝空］である。この表示状態で、操作者が左方向へのスワイプアウトをすると、アプリ２００が、投稿ページ生成部１１４ｂへ、投稿ページ（すなわち、投稿ページをスマートフォン１２０に表示させるためのウェブ表示プログラム）の送信を要求すると共に、表示状態の変数値と、表示記事数とを送る。投稿ページ生成部１１４ｂは、この要求を受信すると、投稿記事データベース１１２から、この表示記事数と一致する個数の投稿記事を新しいものから順に読み出して投稿ページを生成し、アプリ２００へ送信する。アプリ２００は、この投稿ページ９１０を受け取って、スマートフォン１２０に表示させる（図５（ａ）参照）。
【００６９】
また、上述のように、２層目の情報ページ２２０には、選択された業種の企業別売上高を示すツリーマップ２２１が表示される（図３（ａ）参照）。また、このときの表示状態の変数値は、［業種コード＝選択された業種の業種コード，企業コード＝空，検索ワード＝空，ＵＲＬ＝空］である。この表示状態で、操作者が左方向へのスワイプアウトをすると、アプリ２００は、投稿ページ生成部１１４ｂへ、投稿ページ９１０の送信を要求すると共に、表示状態の変数値と、表示記事数とを送る。投稿ページ生成部１１４ｂは、この要求を受信すると、その変数の業種コードに一致するタグが付与された記事を表示する投稿ページ９１０を作成する。この結果、その時に表示されている２層目の情報ページ２２０に対応させて投稿された記事と、この情報ページ２２０の下層の全てのキャッシュフローグラフ２３０に対応させて投稿された記事とを、その表示記事数だけ表示する投稿ページ９１０が作成される。この投稿ページ９１０は、アプリ２００へ送信されて、スマートフォン１２０に表示される。
【００７０】
更に、上述のように、３層目の情報ページには、選択された企業のキャッシュフローグラフ２３０が表示される（図３（ｂ）参照）。また、このときの表示状態の変数値は、［業種コード＝空，企業コード＝選択された企業の企業コード，検索ワード＝空，ＵＲＬ＝空］である。この表示状態で、操作者が左方向へのスワイプアウトをすると、アプリ２００は、投稿ページ生成部１１４ｂへ、投稿ページ９１０の送信を要求すると共に、表示状態の変数値と、表示記事数とを送る。その結果、投稿ページ生成部１１４ｂは、その企業コードと一致するタグが付与された投稿記事（すなわち、表示されている企業に対応して投稿された記事）を、その表示記事数だけ表示する投稿ページ９１０を生成して、アプリ２００へ送信する。アプリ２００は、この投稿ページ９１０を受け取って、スマートフォン１２０に表示させる。
【００７１】
なお、投稿ページ９１０を表示する際に、表示対象となる投稿記事の投稿日時（又は、その投稿日時の範囲）を指定できるようにしても良い。
【００７２】
この投稿ページには、絞込調節ボタン９１１が表示される。そして、この絞込調節ボタン９１１をタップすると、絞込調節ダイアログ９１２が表示される（図５（ｂ）参照）。この絞込調節ダイアログ９１２は、その投稿記事に付与されたタグの一覧が表示される。スマートフォン１２０の操作者が、この絞込調節ダイアログ９１２のタグの指定／非指定を変更することで、投稿ページ９１０に表示される投稿記事の範囲を変更することができる。
【００７３】
上述のようにして投稿ページ９１０を表示した状態で、スマートフォン１２０の操作者が所望の投稿をタップすると、その投稿記事が選択される。このとき、このアプリ２００は、表示状態の変数値を、選択された投稿記事のタグに応じて変更する。例えば、上述のように最上位の情報ページ２１０から左方向へスワイプアウトした場合には、表示状態の変数値が［業種コード＝空，企業コード＝空，検索ワード＝空，ＵＲＬ＝空］であるために、投稿ページ９１０に全ての投稿記事が表示対象となるが、操作者が選択した投稿記事に企業コードのダグが付与されている場合、アプリ２００は、表示状態の変数値を［業種コード＝空，企業コード＝そのタグに一致する企業コード，検索ワード＝空，ＵＲＬ＝空］に変更する。そして、操作者が画面表示を右パネルから中央パネルに変更したとき（例えば、操作者が右方向へのスワイプアウトしたとき）、中央パネルには、この変更後の変数値に対応するページ（ここでは情報ページ２３０）が表示される。一方、操作者が投稿記事を選択すること無しに画面表示を右パネルから中央パネルに変更したときは、表示状態の変数値が変更されていないので、直前に表示していた情報ページに戻る。
【００７４】
スマートフォン１２０の操作者が投稿ページ９１０に記事を投稿するときの操作は、従来のブログ等とほぼ同様である。新たな投稿が成された場合、アプリ２００は、その投稿記事に、そのときの表示状態の変数値［業種コード，企業コード，検索ワード，ＵＲＬ］に対応するタグを付与する。なお、これら４個の変数値とに対応するタグとは別のタグを更に付与しても良いことは、もちろんである。その後、この投稿記事は、情報閲覧システム１１０に送信されて、投稿記事データベース１１２に格納される。
【００７５】
以上、センターパネルの表示が情報ページ２１０，２２０，２３０の場合を説明したが、センターパネルに検索結果ページ６１０，６２０が表示されている場合も、これと同様であり、投稿ページ９１０に表示される投稿記事の範囲が、表示状態の変数値［業種コード，企業コード，検索ワード，ＵＲＬ］に応じて、適宜変更される。
【００７６】
このように、この実施の形態１によれば、階層化された情報ページ２１０〜２３０を生成すると共に、中央パネルに表示された情報ページに対応して、投稿ページ９１０を生成することとした。このため、スマートフォン１２０の操作者は、選択された情報ページに対応する投稿記事を、簡単な操作で効率的に閲覧することができる。
【００７７】
また、この実施の形態１では、中央パネルに表示された情報ページに対応して投稿された記事だけでなく、その情報ページの下位の各情報ページに対応して投稿された記事も、投稿ページ９１０に表示することができる。従って、複数の企業が同じ業種に属する場合には、異なる企業に対応して投稿された記事を、１画面の投稿ページ９１０に集約して表示することができる。更には、例えば特定企業に関する複数の情報ページを設けて、その特定企業に対応して投稿された記事が１画面の投稿ページ９１０に集約して表示されるように、構成することも可能である。その結果、操作者がそれまで注目していなかった企業や業種等の投稿記事から、注目すべき情報を得る機会を与えられるという効果が期待できる。
【００７８】
また、この実施の形態１によれば、操作者が検索を行った際に、その検索結果を表示する検索結果ページ６１０，６２０を生成して、スマートフォン１２０の操作者が、検索結果ページと、この検索結果に対応する投稿記事９１０とを、簡単な操作で効率的に閲覧することができる。
【００７９】
更に、この実施の形態１によれば、左方向のスワイプアウトをするだけで、情報ページ２１０〜２３０から、これらの情報ページ２１０〜２３０に対応する投稿ページへ直接移動することができるので、スマートフォン１２０の操作者は、その情報ページ２１０〜２３０に対応する投稿記事を、簡単且つ効率的に閲覧することができる。
【００８０】
加えて、この実施の形態１によれは、右方向のスワイプアウトをするだけで、投稿ページ９１０から、これらの投稿ページに対応する情報ページ２１０〜２３０や検索結果ページ６１０，６２０へ直接移動することができるので、スマートフォン１２０の操作者は、その投稿記事に対応する情報ページを、簡単且つ効率的に閲覧することができる。
【００８１】
なお、上述の実施の形態１では、二種類の表示画面（中央パネルと右パネル）を切り替える場合を例に採って説明したが、切り替え可能な表示画面数等は、任意である。例えば、実施の形態１に左パネルを追加して三種類の表示画面を切り替える構成とし、この左パネルに例えばニュース記事等の情報を表示することとしても良い。
【符号の説明】
【００８２】
１１０  情報閲覧システム
１１１  経済情報データベース
１１２  投稿記事データベース
１１３  ユーザ管理データベース
１１４  フロントサーバ
１１４ａ  情報ページ生成部
１１４ｂ  投稿ページ生成部
１１４ｃ  通信処理部
１１５  検索サーバ
２１０，２２０，２３０  情報ページ
６１０，６２０，６３１，６３２  検索結果ページ
９１０  投稿ページ
【図１】
0006420670.tif 000002
【図２】
0006420670.tif 000003
【図３】
0006420670.tif 000004
【図４】
0006420670.tif 000005
【図５】
0006420670.tif 000006